(57)【要約】【課題】常に適切な文字・図形・静止画などの表示情報を表示することができる多階調表示装置及び画面表示方法を提供する。【解決手段】輝度センサーの検出値に基づいて、表示データの階調数を増減調整することを特徴とする。すなわち、表示装置の表示制御部は、輝度センサーから周囲の輝度値を読み取り(ステップＳ２１)、次いで、読み取った輝度値が明るいか判定する(ステップＳ２２)。判定した結果が明るい(Ｙｅｓ)ならば、階調数制御部は階調数を最小［階調数小］とし、ＦＰＧＡに書き込む(ステップＳ２３)。一方、ステップＳ２２で判定した結果が明るくなければ(Ｎｏ)、読み取った輝度値が普通かどうか判定する(ステップＳ２４)。判定した結果が普通ならば(Ｙｅｓ)、階調数を中間［階調数中］とし、ＦＰＧＡに書き込む(ステップＳ２５)。ステップＳ２４で判定した結果が普通でなければ(Ｎｏ)、階調数を最大とし、ＦＰＧＡに書き込む(ステップＳ２６)。【選択図】図２
2008242162.tif 000002
【特許請求の範囲】
【請求項１】
複数の画素から構成され、多階調の表示を行う表示部と、前記表示部の周囲の明るさを検出する輝度センサーを備えた表示装置であって、前記輝度センサーで検出した値に基づいて、前記表示部に多階調表示される文字や図形や静止画などの表示データの階調数の増減調節を行う階調数制御部を備えた表示制御部を有することを特徴とする表示装置。
【請求項２】
前記表示制御部は表示する時間により表示部に表示する表示データの階調数の増減調節を行えるタイマー制御部を備えたことを特徴とする請求項１に記載の表示装置。
【請求項３】
前記表示制御部はリモコンからの赤外線信号を受光するリモコン受光部と受光した赤外線信号により手動で階調数の増減調節を行う階調数切替部を備えたことを特徴とする請求項１または２に記載の表示装置。
【請求項４】
前記表示部は、マトリックス状に配置された複数のＬＥＤ素子（発光ダイオード）を備えたことを特徴とする請求項１〜３に記載の表示装置。
【請求項５】
表示部と、前記表示部の周囲の明るさを検出する輝度センサーを備えた表示装置の画面表示方法であって、前記輝度センサーで検出した値に基づいて、表示制御部に出力するための文字や図形や静止画などの表示情報を制御する表示制御工程を含み、前記表示制御工程は、前記輝度センサーで検出した値に基づいて、表示データの階調数の増減調節を行う階調数調節工程を含む表示装置の画面表示方法。
【請求項６】
表示する時間により表示部に表示する表示データの階調数の切り替えを行うタイマー制御工程を含む請求項５に記載の表示装置の画面表示方法。
【請求項７】
リモコンからの赤外線信号を受光するリモコン受光工程と、受光した前記赤外線信号により手動で階調数の増減調節を行う階調数切替工程を含む請求項５または６に記載の表示装置の画面表示方法。
【発明の詳細な説明】
【技術分野】
【０００１】
本発明は、表示装置及び画面表示方法に関し、文字や図形や静止画などを多階調で表示する表示装置において、固定された階調数を自動的に増減調節する表示装置に関するものである。
【背景技術】
【０００２】
従来、街角や商店街の店先には、お店の情報や案内等を表示するための複数のＬＥＤ素子（Ｌｉｇｈｔ  Ｅｍｉｔｔｉｎｇ  Ｄｉｏｄｅ：発光ダイオード）をマトリックス状に配置し、文字や図形や静止画などを表示出来る表示部を備えた種々の表示装置が設置されている。
【０００３】
このような表示装置において、ＬＥＤ素子の発光輝度に濃淡を起こさせ、文字や図形や静止画などを表示させることで、情報や案内等をより鮮明に階調表示できる多階調表示装置が普及し始めてきた。
【０００４】
従来の表示装置は、表示部の周囲照度を測定し、対応する照度データを出力する輝度センサーを有し、輝度センサーからの照度データに応答して、ＬＥＤ素子の発光時間を変化させることで多階調表示を行っている（例えば、特許文献１参照）。
【０００５】
図７は、従来の多階調表示装置の一例を示すブロック図である。図７において、表示装置１００は、複数のＬＥＤ素子８と前記ＬＥＤ素子８の点灯と消灯を制御するＬＥＤドライバ７を有し、文字や図形や静止画などの表示データを表示する表示部３０と、表示データや表示制御データを保存するためのＥＰＲＯＭ、ＥＥＰＲＯＭ、フラッシュＲＯＭ等のＲＯＭ１や、表示データや表示制御データを展開するためのＳＲＡＭ、ＳＤＲＡＭ等のＲＡＭ２を有するメモリ部１０と、周囲の明るさを検出する輝度センサー５やリモコンからの赤外線信号を検出するリモコン受光部９で検出したデータの取り込みや前記メモリ部１０とのデータの受け渡しやそのデータに基づいて表示制御を行うＣＰＵ３と、前記メモリ部１０に予め記憶した表示データにしたがって、前記表示部３０内のＬＥＤ素子８の点灯回数Ｃ１を伝える、ＦＰＧＡ４を有する表示制御部２０とを備える。またパーソナルコンピューター（図示せず）により作成された表示すべき文字や図形や静止画などのデータＤ１を、記憶媒体６を介して表示制御部２０がメモリ部１０に記憶する手段を有する。
【０００６】
このような従来の表示装置１００においては、記憶媒体６を介し、表示制御部２０がメモリ部１０に保存した表示データＤ１をもとに、表示部３０に対し表示データの点灯位置Ｐ１、点灯回数Ｃ１を伝えることにより、表示部３０内の指定されたＬＥＤ素子８が点灯や消灯するしくみとなっている。
【特許文献１】特開平５−３４１７２８号公報
【発明の開示】
【発明が解決しようとする課題】
【０００７】
しかしながら、前記従来の構成では、表示部の周囲の明るさに応じて、ＬＥＤ素子の発光時間の点灯幅のみを変更する為、表示部の周囲が明るい場合は、逆に発光素子の輝度の濃淡がわかりにくくなり、適切な多階調表示とはならず広告宣伝用の看板としては逆効果になってしまう。
【０００８】
また、前記特許文献１以外の従来の技術として、表示時間帯もしくは表示部の周囲の明るさに応じて、適切な多階調表示を実現する為には、例えば図８に示すように、あらかじめ表示データ［階調数小］（ステップＳ３）、表示データ［階調数中］（ステップＳ５）、表示データ［階調数大］（ステップＳ６）など階調数の異なる複数の表示データを登録しておき、表示時間帯もしくは、表示部の周囲の明るさに応じて表示する表示データを切り替える方法がある。しかしながら、複数の表示データを登録し保存するために前記ＲＯＭや前記ＲＡＭを増やす必要が有り、コストアップの要因となっていた。
【０００９】
前記従来の課題を解決するために、本発明の表示装置は、表示装置の周囲環境の変化に影響されず、常に適切な文字や図形や静止画などの表示情報を表示することができる多階調表示を可能とした表示装置を提供することを目的とする。
【課題を解決するための手段】
【００１０】
本発明の表示装置は、表示部と、前記表示部の周囲の明るさを検出する輝度センサーを備えた表示装置であって、前記輝度センサーで検出した値に基づいて、前記表示部に多階調表示される文字や図形や静止画などの表示データの階調数の増減調節を行う階調数制御部を備えた表示制御部を有している。
【００１１】
かかる構成によって、表示部の周囲の明るさの変化を輝度センサーで検出し、検出した値に基づいて、前記階調制御部に出力する表示データの階調数の増減調節を行うため、表示部の周囲の明るさの変化に応じ、明瞭で多階調な表示データを表示部に表示させることができる。
【００１２】
また、本発明は、上記表示装置において、表示制御部は表示する時間により、表示部に表示する表示データの階調数の増減調節を行えるタイマー制御部を備えている。
【００１３】
かかる構成によれば、表示部の周囲の明るさの変化を輝度センサーで検出した値と表示時間を組み合わせることによって、表示部の周囲の明るさと表示装置が表示する時間により、表示部に表示されている表示データの階調表示が明瞭に多階調で表示することができる。
【００１４】
また、本発明は、上記表示装置において、表示制御部はリモコンからの赤外線信号を受光するリモコン受光部と受光した赤外線信号により手動で階調数の増減調節を行う階調数切替部を備えている。
【００１５】
かかる構成によれば、リモコン受光部で検出したリモコンからの赤外線信号により自動で前記階調制御部が階調数の増減調節を行う以外に、手動で階調数の増減調節を行ことができ、表示部に表示されている表示データの階調表示が明瞭に多階調で表示することができる。
【００１６】
また、本発明は、上記表示装置において、前記表示部はマトリックス状に配置された複数のＬＥＤ素子を備えている。
【００１７】
かかる構成によれば、マトリックス状に配置された複数のＬＥＤ素子を備えるので、環境の変化に対する耐久性が高く、文字や図形や静止画などを明瞭に表示できる表示装置を提供することができる。
【００１８】
また、本発明の表示装置の画面表示方法は、表示部と、前記表示部の周囲の明るさを検出する輝度センサーを備えた表示装置の画面表示方法であって、前記輝度センサーで検出した値に基づいて、前記表示制御部に出力するための文字や図形や静止画などの表示情報を制御する表示制御工程を含み、前記表示制御工程は、前記輝度センサーで検出した値に基づいて、表示データの階調数の増減調節を行う階調数調節工程を含んでいる。
【００１９】
かかる構成によれば、表示部の周囲の明るさの変化を輝度センサーで検出した値に基づいて、表示する表示データの階調数を増減調節するので、あらかじめ階調数の異なる複数の表示データを登録しておく必要がなく、表示データの階調表示を明瞭に多階調で制御することができる。
【００２０】
また、本発明の表示装置の画面表示方法は、上記表示装置の画面表示方法において、表示制御工程に表示装置が表示する時間により表示部に表示する表示データの階調数の増減調整を行うタイマー制御工程を含んでいる。
【００２１】
かかる構成によれば、表示部の周囲の明るさの変化を前記輝度センサーで検出した値に基づいて階調数を増減調節する前記階調数調整工程と表示装置が表示する時間を組み合わせることによって、表示部に表示する表示データの階調数を表示部の周囲の明るさや時間に柔軟に対応し、表示部に表示されている表示データの階調表示が明瞭に多階調で表示することができる。
【００２２】
また、本発明の表示装置の画面表示方法は、上記表示装置の画面表示方法において、リモコンからの赤外線信号を受光するリモコン受光工程と受光した赤外線信号により手動で階調数の増減調節を行う階調数切替工程を含んでいる。
【００２３】
かかる構成によれば、リモコン受光部で検出したリモコンからの赤外線信号により自動で前記階調制御工程が階調数の増減調節を行う以外に、手動で階調数の増減調節を行ことができ、周囲の明るさや時間だけでは対応できない環境に柔軟に対応し、表示部に表示されている表示データの階調表示が明瞭に多階調で表示することができる。
【発明の効果】
【００２４】
本発明の表示装置によれば、輝度センサーで検出した値に基づいて、周囲の明るさを検出し、検出した明るさの変化によって文字や図形や静止画などの表示の階調数を自動で増減調節することができ、また表示する時間により表示部に表示する表示データのタイマー設定を行うことにより、時間の変化によって自動で階調数の増減調節を行うことができる。また、リモコン入力により手動で階調数の増減調節を容易に行うことができ、周囲の明るさや時間の変化では対応できない環境においても柔軟に対応して、表示部に表示されている表示データの階調表示が明瞭に多階調で表示することができる。
【発明を実施するための最良の形態】
【００２５】
以下本発明を実施するための最良の形態について、図面を参照しながら説明する。
【００２６】
（実施の形態１）
図１は、本発明の実施の形態１における表示装置の概略構成を示すブロック図である。図１において、表示装置２００は、静止画などの表示データを表示するため、複数のＬＥＤ素子６０と、前記ＬＥＤ素子６０の点灯を制御するＬＥＤドライバ６１を備える表示部５９と、表示データを保存するためのＲＯＭ５２や、データを展開するためのＲＡＭ５３を備えるメモリ部５１と、リモコンからの赤外線信号を受光するリモコン受光部６４と、表示部の周囲の明るさを検知する輝度センサー６２と、検出した値や前記メモリ部５１とのデータ処理を行うＣＰＵ５５と、前記輝度センサー６２で検出した値で階調数を増減調整する階調数制御部５６と、時間で表示の変更を制御するタイマー制御部５７と、前記リモコン受光部６４で検出した値に基づいて手動で階調数を増減調整する階調数切替部６５と、パーソナルコンピューター（図示せず）により作成された文字・図形・静止画などの表示データを、記憶媒体６３を介して入力し、前記階調数制御部５６や前記タイマー制御部５７や前記階調数切替部６５で決定された表示データを前記表示部５９に送るための、ＦＰＧＡ５８を備える表示制御部５４を有する。
【００２７】
図２は、本発明の実施の形態１において、表示装置の表示制御部５４による階調数の増減調節を示すフローチャートである。また、図３は、表示装置の表示制御部５４による階調数の増減調節後の表示例を示す。
【００２８】
表示装置の表示制御部５４は、輝度センサー６２から表示部の周囲の輝度値を検知する（ステップＳ２１）。次いで、読み取った輝度値が設定されている輝度値に対して判定する（ステップＳ２２）。判定した結果が明るい（Ｙｅｓ）ならば、階調数制御部５６は階調数を調整し階調数を最小まで下げ、ＦＰＧＡ５８に［階調数小］を書き込む（ステップＳ２３）。
【００２９】
一方、ステップＳ２２で判定した結果が設定されている輝度値に対して明るくなければ（Ｎｏ）、読み取った輝度値が普通かどうか判定する（ステップＳ２４）。判定した結果が普通ならば（Ｙｅｓ）、階調数制御部５６は階調数を調整し階調数を中間とし、ＦＰＧＡ５８に［階調数中］を書き込む（ステップＳ２５）。ステップＳ２４で判定した結果が普通でなければ（Ｎｏ）、階調数制御部５６は階調数を最大とし、ＦＰＧＡ５８に［階調数大］を書き込む（ステップＳ２６）。ステップＳ２３、Ｓ２５、Ｓ２６でＦＰＧＡ５８に表示データを書き込むと本フローを終了する。
【００３０】
本実施形態の表示装置によれば、周囲の明るさの変化など輝度センサー６２で検出した値に基づいて、表示部５９に出力するための輝度情報を制御できるので、直射日光が当たって、表示部に表示されている文字・図形・静止画などの発光輝度の濃淡の差がわかりにくい昼間は、階調数を下げ発光輝度の濃淡差を少なくし表示を見やすくし（図３参照）、逆に発光輝度の濃淡の差がはっきりわかる夜は、階調数を上げて写真等の鮮明な静止画でも見えるようにすることで、環境の変化や表示部の周囲の明るさに対応して、表示部に表示する階調表示データを明瞭な多階調で表示することができる。
【００３１】
なお、本実施の形態として輝度センサー６２が検知した表示部の周囲の輝度値をＣＰＵ５５へ接続しているが、階調数制御部へ直接接続し制御させても良い。また、階調数を［階調数小］［階調数中］［階調数大］の３段階としているが、他の階調数を設定しても良い。
【００３２】
（実施の形態２）
図４は、本発明の実施の形態２の表示装置の表示制御部５４による階調数の増減調節を示すフローチャートである。また、図５は、タイマー制御部５７におけるタイマー条件の例を示す。
【００３３】
図４において、表示装置のタイマー制御部５７はタイマー条件例を判定する（ステップＳ２９）。判定した結果が「タイマー条件１」（１０時〜１５時：図５参照）ならば、階調数制御部５６は階調数を最小とし、ＦＰＧＡ５８に［階調数小］を書き込む（ステップＳ３０）。
【００３４】
ステップＳ２９で判定した結果が「タイマー条件２」（７時〜１０時もしくは１５時〜１７時）ならば、階調数制御部５６は階調数を中間とし、ＦＰＧＡ５８に［階調数中］を書き込む（ステップＳ３１）。また、判定した結果が「タイマー条件３」（１７時〜７時）ならば、階調数制御部５６は階調数を最大とし、ＦＰＧＡ５８に［階調数大］を書き込む（ステップＳ３２）。
【００３５】
なお、本実施の形態としてタイマー制御部の制御データはＣＰＵ５５へ接続されているが、階調数制御部へ直接接続し制御させても良い。また、階調数を［階調数小］［階調数中］［階調数大］の３段階としているが、他の階調数を設定しても良い。
【００３６】
（実施の形態３）
図６は、本発明の実施の形態３の表示装置の表示制御部５４によるリモコン入力による階調数の増減調節を示すフローチャートである。
【００３７】
図６において、表示装置の階調数切替部６５は、階調数調整方式を判定する（ステップＳ３９）。判定した結果が「自動」ならば、階調数切替部６５は、階調数の増減調節を階調数制御部５６にまかせる（ステップＳ４４）。
【００３８】
ステップＳ３９で判定した結果が「手動」であれば、リモコン受光部６４で受信した赤外線信号を判定し（ステップＳ４０）、判定した結果が（階調数小）ならば、階調数切替部６５は階調数を調整し階調数を最小まで下げ、ＦＰＧＡ５８に［階調数小］を書き込む（ステップＳ４１）。
【００３９】
ステップＳ４０で判定した結果が（階調数中）ならば、階調数切替部６５は階調数を調整し階調数を中間とし、ＦＰＧＡ５８に［階調数中］を書き込む（ステップＳ４２）。
【００４０】
ステップＳ４０で判定した結果が（階調数大）ならば、階調数切替部６５は階調数を調整し階調数を最大とし、ＦＰＧＡ５８に［階調数大］を書き込む（ステップＳ４３）。
【００４１】
ステップＳ４１、Ｓ４２、Ｓ４３、Ｓ４４でＦＰＧＡ５８に表示データを書き込むと本フローを終了する。
【００４２】
なお、本実施の形態としてリモコン受光部６４が検知した赤外線信号をＣＰＵ５５へ接続しているが、階調数切替部へ直接接続し制御させても良い。また、階調数を［階調数小］［階調数中］［階調数大］の３段階としているが、他の階調数を設定しても良い。
【産業上の利用可能性】
【００４３】
本発明にかかる表示装置及び画面表示方法は、表示部の周囲の明るさを検出した値や、表示する時間や、外部入力により、表示部に表示されている表示データの階調表示が明瞭に多段階で表示することに有用である。
【図面の簡単な説明】
【００４４】
【図１】本発明の実施の形態１にかかる表示装置の概略構成を示すブロック図
【図２】本発明の実施の形態１にかかる制御部の階調数増減調節を示すフローチャート
【図３】本発明の実施の形態１にかかる階調数増減調節後のイメージを表す図
【図４】本発明の実施の形態２にかかる制御部の階調数増減調節を示すフローチャート
【図５】本発明の実施の形態２にかかるタイマー条件の設定例を表す図
【図６】本発明の実施の形態３にかかる制御部の階調数増減調節を示すフローチャート
【図７】従来の多階調表示装置の概略構成を示すブロック図
【図８】従来の制御部の階調数調節を示すフローチャート
【符号の説明】
【００４５】
５１  メモリ部
５２  ＲＯＭ
５３  ＲＡＭ
５４  表示制御部
５５  ＣＰＵ
５６  階調数制御部
５７  タイマー制御部
５８  ＦＰＧＡ
５９  表示部
６０  ＬＥＤ素子
６１  ＬＥＤドライバ
６２  輝度センサー
６３  記憶媒体
６４  リモコン受光部
６５  階調数切替部
２００  表示装置
【図１】
2008242162.tif 000003
【図２】
2008242162.tif 000004
【図４】
2008242162.tif 000005
【図５】
2008242162.tif 000006
【図６】
2008242162.tif 000007
【図７】
2008242162.tif 000008
【図８】
2008242162.tif 000009
【図３】
2008242162.tif 000010